(57)【要約】【課題】大掛かりな治具・工具を使用せず、巻上電動機を吊らずに、床面に下ろさずに保守作業を実施できるエレベータの巻上電動機支持装置を得る。【解決手段】上端部に外向き水平部３ａを有する一対の機械台ビーム３と、上下両端部に外向き水平部４ｂ、４ａを有する断面コ字状を呈する一対の固定片４と、機械台ビーム３の上端外向き水平部３ａに固定片４の下端外向き水平部４ａを重合載置し、互いに重合された両方の外向き水平部を外側から締結固定する締結装置５と、固定片の上端外向き水平部４ｂ間に跨って橋架され、固定片の上端外向き水平部を所定方向に移動可能に取り付けられた固定台６と、固定台の上面に設けられた支持軸７と、支持軸の上端部に回転可能に取り付けた巻上電動機支持台８と、巻上電動機支持台に設けられ、巻上機１から取り外された巻上電動機２の下側部を支承する巻上電動機支承部９とを備える。【選択図】図１
2014218348.tif 000002
【特許請求の範囲】
【請求項１】
巻上機及び巻上電動機を取り付け支持するために機械室床に設けられ、上端部に外向きの水平部を有する一対の機械台ビームと、
上下両端部にそれぞれ外向き水平部を有する断面コ字状を呈する一対の固定片と、
前記機械台ビームの上端外向き水平部に前記固定片の下端外向き水平部を重合載置し、互いに重合された両方の外向き水平部を外側から締結固定する締結装置と、
前記一対の固定片の上端外向き水平部間に跨って橋架され、前記固定片の上端外向き水平部を所定方向に移動可能に取り付けられた固定台と、
前記固定台の上面に設けられた支持軸と、
前記支持軸の上端部に回転可能に取り付けられた巻上電動機支持台と、
前記巻上電動機支持台に設けられ、前記巻上機から取り外された前記巻上電動機の下側部を支承する巻上電動機支承部と、
を備えたことを特徴とするエレベータの巻上電動機支持装置。
【請求項２】
締結装置を、両方の外向き水平部を外側から挟み込んで締結固定する万力で構成したことを特徴とする請求項１記載のエレベータの巻上電動機支持装置。
【請求項３】
巻上電動機支承部を、巻上電動機支持台の上面の両側部に互いに対向するように起立され、巻上電動機の下側部の両端部を支承する円弧面を上端面に有する左右一対の巻上電動機支承脚で構成したことを特徴とする請求項１又は請求項２記載のエレベータの巻上電動機支持装置。
【発明の詳細な説明】
【技術分野】
【０００１】
この発明は、エレベータの巻上電動機支持装置に関するものである。
【背景技術】
【０００２】
エレベータの巻上電動機は、長期間使用すると、内部の分解手入れ、交換、オーバーホール等が必要となる。これらの保守作業では、先ず巻上電動機を巻上機から取り外し、巻上電動機の内部の分解手入れ、交換、オーバーホール等を行った後、巻上電動機を巻上機に取り付けている。
【０００３】
従来、巻上電動機の保守作業時、重量物吊り装置を組み立て、この重量物吊り装置の吊り下げアームに吊り金具およびチェーンブロックを装着し、台付きワイヤを巻上電動機に結び付けて、巻上電動機の吊り下げが行なわれ、吊り下げアームを回動させて、巻上電動機の移動が行われるものが知られている（例えば、特許文献１参照）。
【先行技術文献】
【特許文献】
【０００４】
【特許文献１】特開平１０−２６５１８１号公報
【発明の概要】
【発明が解決しようとする課題】
【０００５】
従来の技術では、巻上電動機を巻上機から取り外して保守作業を行うために、巻上電動機を吊るための治具・工具、すなわち、支柱、吊り下げアーム、チェーンブロック等を用意する必要があった。また取り外した巻上電動機の置き場所となる床面作業場を確保する必要があった。
【０００６】
この発明は、上述のような課題を解決するためになされたもので、大掛かりな治具・工具を使用せず、しかも巻上電動機を吊らずに、床面にも下ろさずに保守作業を実施することができるエレベータの巻上電動機支持装置を提供するものである。
【課題を解決するための手段】
【０００７】
この発明に係るエレベータの巻上電動機支持装置においては、巻上機及び巻上電動機を取り付け支持するために機械室床に設けられ、上端部に外向きの水平部を有する一対の機械台ビームと、上下両端部にそれぞれ外向き水平部を有する断面コ字状を呈する一対の固定片と、機械台ビームの上端外向き水平部に固定片の下端外向き水平部を重合載置し、互いに重合された両方の外向き水平部を外側から締結固定する締結装置と、一対の固定片の上端外向き水平部間に跨って橋架され、固定片の上端外向き水平部を所定方向に移動可能に取り付けられた固定台と、固定台の上面に設けられた支持軸と、支持軸の上端部に回転可能に取り付けられた巻上電動機支持台と、巻上電動機支持台に設けられ、巻上機から取り外された巻上電動機の下側部を支承する巻上電動機支承部とを備えたものである。
【０００８】
また、締結装置を、両方の外向き水平部を外側から挟み込んで締結固定する万力で構成したものである。
【０００９】
また、巻上電動機支承部を、巻上電動機支持台の上面の両側部に互いに対向するように起立され、巻上電動機の下側部の両端部を支承する円弧面を上端面に有する左右一対の巻上電動機支承脚で構成したものである。
【発明の効果】
【００１０】
この発明によれば、大掛かりな治具・工具を使用せず、しかも巻上電動機を吊らずに、床面にも下ろさずに保守作業を実施することができる。また、巻上電動機を取り外した後、回転させることにより、巻上電動機の取付側軸端が開放されるので、全方向からのアクセスが可能となる。
【図面の簡単な説明】
【００１１】
【図１】この発明の実施例１におけるエレベータの巻上電動機支持装置を備えた巻上機の全体構成示す側面図である。
【図２】この発明の実施例１におけるエレベータの巻上電動機支持装置を示す斜視図である。
【図３】この発明の実施例１におけるエレベータの巻上電動機支持装置を示す側面図である。
【図４】この発明の実施例１におけるエレベータの巻上電動機支持装置の下部を機械室のビームに固定した状態を示す側面図である。
【発明を実施するための形態】
【００１２】
実施例１.
図１はこの発明の実施例１におけるエレベータの巻上電動機支持装置を備えた巻上機の全体構成示す側面図、図２はこの発明の実施例１におけるエレベータの巻上電動機支持装置を示す斜視図、図３は巻上電動機支持装置を示す側面図、図４は巻上電動機支持装置の下部を機械室のビームに固定した状態を示す側面図である。
【００１３】
図１において、エレベータの巻上電動機支持装置は、巻上機１及び巻上電動機２を取り付け支持するために機械室床に設けられ、上端部に外向きの水平部３ａを有する一対の機械台ビーム３と、一対の機械台ビーム３の上端外向き水平部３ａに下端外向き水平部４ａを重合載置し、両方の外向き水平部３ａ、４ａを外側から万力等の強力な締結装置５により挟み込んで強固に固定された断面コ字状を呈する一対の固定片４と、この一対の固定片４の上端外向き水平部４ｂ間に跨って載置橋架され、下面が固定片４の上端外向き水平部４ｂと互いに蟻溝結合された平板状の固定台６と、この固定台６の中央部上面に突出して設けられた支持軸７と、この支持軸７の上端部に回転可能に取り付けられた平板状の巻上電動機支持台８と、この巻上電動機支持台８の上面の両側部に互いに対向するように起立され、巻上電動機２の下側部の両端部付近を支承する円弧面９ａを上端面に有する支承脚からなる左右一対の巻上電動機支承部９とから構成されている。上記平板状の固定台６は、固定片４との間の蟻溝結合により、固定台６の上方部に設けられている支持軸７、巻上電動機支持台８及び巻上電動機支承部９を蟻溝形成方向に沿って移動可能に構成されているが、ストッパー（図示せず）により固定台６が固定片４から外れないようになっている。図中、１０は巻上電動機２を巻上機１の一側面に着脱自在に取り付けている巻上電動機取付ボルトであり、保守作業時、巻上電動機取付ボルト１０を取り外すことにより、巻上電動機２を巻上機１から取り外すことが可能となる。なお、巻上電動機支承部９は、巻上電動機支持台８の上面の両側部に互いに対向するように起立された左右一対の支承脚からなる構成としたが、巻上電動機２の下側中央部のほぼ全体を支承するような構成にしても良い。
【００１４】
次に、巻上電動機支持装置の保守作業時の動作について説明する。
先ず、巻上電動機支持装置の上半部を構成する巻上電動機支持台８を支持軸７により回転させ、巻上電動機支持台８の上面の両側部に互いに対向するように起立された一対の巻上電動機支承部９の円弧面９ａが、巻上電動機２の下側部の両端部付近に位置するように配置する（図１参照）。これにより、巻上電動機２の軸線と巻上電動機支持台８の支持軸線とを上下に平行にする。そして、巻上電動機支持装置の下半部を構成する一対の固定片４の下端外向き水平部４ａを機械室に設置された機械台ビーム３の上端外向き水平部３ａに重合載置し、機械台ビーム３の上端外向き水平部３ａと固定片４の下端外向き水平部４ａとの間を外側から万力等の強力な締結装置５により挟み込んで強固に締結固定する（図４参照）。次に、巻上電動機取付ボルト１０を取り外して巻上電動機２を直下に下ろし、巻上電動機２の下側部の両端部付近を巻上電動機支持台８の左右一対の巻上電動機支承部９の円弧面９ａ上に載置する（図１参照）。固定片４の上端外向き水平部４ｂと互いに蟻溝結合された平板状の固定台６は、その蟻溝結合により、固定台６の上方部に設けられている支持軸７、巻上電動機支持台８及び巻上電動機支承部９を蟻溝形成方向に沿って移動可能に構成されているので、巻上電動機２を載置した巻上電動機支持台８及び固定台６を巻上機１から離反する方向に引き出すことができる。そして、巻上電動機２を引き出した後、支持軸７を中心に巻上電動機支持台８及び固定台６を９０°回転させることにより、巻上電動機２の取付側軸端が開放されるので、全方向からのアクセスが可能となる。したがって、巻上電動機２を機械室の床面に下ろさずに巻上電動機２の保守作業が可能となる。
【符号の説明】
【００１５】
１  巻上機、  ２  巻上電動機、  ３  機械台ビーム、  ３ａ  上端外向き水平部、  ４  固定片、  ４ａ  下端外向き水平部、  ４ｂ  上端外向き水平部、  ５  万力等の締結装置、６  固定台、  ７  支持軸、  ８  巻上電動機支持台、  ９  巻上電動機支承部、  ９ａ  円弧面、  １０  巻上電動機取付ボルト。
【図１】
2014218348.tif 000003
【図２】
2014218348.tif 000004
【図３】
2014218348.tif 000005
【図４】
2014218348.tif 000006